(57)【特許請求の範囲】
【請求項１】
商品を識別する商品識別情報と前記商品を購入した時間を示す購入時間情報とを含む購買履歴データをユーザごとに記憶する購買履歴記憶装置、および画像を表示する表示装置と通信可能な情報処理装置であって：
ユーザを識別するユーザ識別情報と各ユーザをそれぞれ示すユーザ画像とが対応付けて記録されたユーザ画像データと、ユーザが購入により所有した所有物を示す第１の所有物画像と前記購入時間情報とが対応付けて記録された所有物データを記憶する記憶部と；
前記購買履歴記憶装置、および／または、前記表示装置と通信を行う通信部と；
前記購買履歴記憶装置から前記購買履歴データを取得する購買履歴データ取得部と；
前記購買履歴データ取得部が取得した購買履歴データに基づいて前記所有物データを生成し、生成された前記所有物データを前記記憶部に記録する所有物データ記録部と；
前記記憶部に記憶された所有物データの購入時間情報と現在の時間を規定する時間情報とに基づいて、前記記憶部に記憶された所有物データを、ユーザが所有物を購入してから現在までの時間間隔が表された第２の所有物画像を含む所有データへと更新する所有物データ更新部と；
前記表示装置から送信される表示要求と前記ユーザ画像データと前記所有物データとに基づいて、前記表示要求が表示を要求するユーザを示すユーザ画像と前記ユーザが所有する所有物の画像とが示された表示データを生成する表示データ生成部と；
を備え、
前記購買履歴データ取得部が、ユーザの支払い方法の情報をさらに含む購買履歴データを取得した場合、
前記所有物データ記録部は、さらに前記支払い方法の情報に基づいて前記第１の所有物画像を生成し、
前記所有物データ更新部は、さらに前記支払い方法の情報に基づいて前記第２の所有物画像を生成することを特徴とする、情報処理装置。
【請求項２】
前記所有物データ更新部は、前記記憶部に記憶された所有物データの購入時間情報と前記時間情報とに基づいて購入してからの経過時間を算出し、算出された前記経過時間に応じた前記第２の所有物画像を生成することを特徴とする、請求項１に記載の情報処理装置。
【請求項３】
前記記憶部は、商品を識別する商品識別情報と前記商品を示す商品画像とが対応付けられた商品データをさらに記憶し、
前記所有物データ記録部は、前記購買履歴データが有する前記商品識別情報に基づいて前記商品データの中から対応する商品画像を選択し、選択された前記商品画像を前記第１の所有物画像として前記所有物データを生成することを特徴とする、請求項１に記載の情報処理装置。
【請求項４】
前記購買履歴データ取得部は、ユーザが商品を購入した購入元を示す購入元情報、および／または、ユーザの支払い方法の情報をさらに有する購買履歴データを取得し、
前記所有物データ記録部は、さらに前記購買履歴データの前記購入元情報、および／または、支払い方法の情報に基づいて、前記第１の所有物画像を生成することを特徴とする、請求項３に記載の情報処理装置。
【請求項５】
前記表示データ生成部は、
前記表示要求に基づいて表示データを生成するユーザを特定する表示対象判定部と；
前記表示対象判定部において特定されたユーザ、前記ユーザ画像データ、および前記所有物データに基づいて、前記表示データを生成するデータ生成部と；
を備えることを特徴とする、請求項１に記載の情報処理装置。
【請求項６】
前記データ生成部は、前記所有物データにおいて、一の所有物に対応する前記第２の所有物画像がある場合には、前記第２の所有物画像を前記所有物の画像とする表示データを生成することを特徴とする。請求項５に記載の情報処理装置。
【請求項７】
前記記憶部は、所有物ごとの表示・非表示がグループごとに規定された第１のグループ情報をさらに含む所有物データを記憶し、
前記表示対象判定部は、さらに前記表示要求に基づいてグループを判定し、
前記データ生成部は、さらに前記表示対象判定部のグループの判定結果と前記所有物データの前記第１のグループ情報とに基づいて、前記所有物の画像が選択的に表示される表示データを生成することを特徴とする、請求項５に記載の情報処理装置。
【請求項８】
前記記憶部は、所有物ごとに詳細な表示または簡略化された表示が規定された表示方法が、グループごとに設定された第２のグループ情報をさらに含む所有物データを記憶し、
前記表示対象判定部は、さらに前記表示要求に基づいてグループを判定し、
前記データ生成部は、前記表示対象判定部のグループの判定結果と前記所有物データの前記第２のグループ情報とに基づいて、詳細に表示された所有物の画像、または簡略化して表示された所有物の画像が選択的に表示される表示データを生成することを特徴とする、請求項５に記載の情報処理装置。
【請求項９】
商品を識別する商品識別情報と前記商品を購入した時間を示す購入時間情報とを含む購買履歴データをユーザごとに記憶する購買履歴記憶装置、および画像を表示する表示装置と通信を行う通信部と、ユーザを識別するユーザ識別情報と各ユーザをそれぞれ示すユーザ画像とが対応付けて記録されたユーザ画像データを記憶する記憶部とを備える情報処理装置に用いることが可能な表示データ提供方法であって：
前記購買履歴記憶装置から前記購買履歴データを取得するステップと；
前記取得するステップにおいて取得された購買履歴データに基づいて、ユーザが購入により所有した所有物を示す第１の所有物画像と前記購入時間情報とが対応付けて記録された所有物データを生成し、生成された前記所有物データを前記記憶部に記録するステップと；
前記記憶部に記憶された所有物データの購入時間情報と現在の時間を規定する時間情報とに基づいて、前記記憶部に記憶された所有物データを、ユーザが所有物を購入してから現在までの時間間隔が表された第２の所有物画像を含む所有データへと更新するステップと；
前記表示装置から送信された表示要求を受信した場合には、前記表示要求と前記ユーザ画像データと前記所有物データとに基づいて、前記表示要求が表示を要求するユーザを示すユーザ画像と前記ユーザが所有する所有物の画像とが示された表示データを生成するステップと；
前記生成するステップにおいて生成された表示データを前記表示要求を送信した表示装置へ送信するステップと；
を有し、
前記取得するステップにおいてユーザの支払い方法の情報をさらに含む購買履歴データが取得された場合、
前記記録するステップでは、さらに前記支払い方法の情報に基づいて前記第１の所有物画像が生成され、
前記更新するステップでは、さらに前記支払い方法の情報に基づいて前記第２の所有物画像が生成されることを特徴とする、表示データ提供方法。
【請求項１０】
商品を識別する商品識別情報と前記商品を購入した時間を示す購入時間情報とを含む購買履歴データをユーザごとに記憶する購買履歴記憶装置、および画像を表示する表示装置と通信を行う通信部と、ユーザを識別するユーザ識別情報と各ユーザをそれぞれ示すユーザ画像とが対応付けて記録されたユーザ画像データを記憶する記憶部とを備える情報処理装置に用いることが可能なプログラムであって：
前記購買履歴記憶装置から前記購買履歴データを取得するステップ；
前記取得するステップにおいて取得された購買履歴データに基づいて、ユーザが購入により所有した所有物を示す第１の所有物画像と前記購入時間情報とが対応付けて記録された所有物データを生成し、生成された前記所有物データを前記記憶部に記録するステップ；
前記記憶部に記憶された所有物データの購入時間情報と現在の時間を規定する時間情報とに基づいて、前記記憶部に記憶された所有物データを、ユーザが所有物を購入してから現在までの時間間隔が表された第２の所有物画像を含む所有データへと更新するステップ；
前記表示装置から送信された表示要求を受信した場合には、前記表示要求と前記ユーザ画像データと前記所有物データとに基づいて、前記表示要求が表示を要求するユーザを示すユーザ画像と前記ユーザが所有する所有物の画像とが示された表示データを生成するステップ；
前記生成するステップにおいて生成された表示データを前記表示要求を送信した表示装置へ送信するステップ；
をコンピュータに実行させ、
前記取得するステップにおいてユーザの支払い方法の情報をさらに含む購買履歴データが取得された場合、
前記記録するステップでは、さらに前記支払い方法の情報に基づいて前記第１の所有物画像が生成され、
前記更新するステップでは、さらに前記支払い方法の情報に基づいて前記第２の所有物画像が生成されることを特徴とする、プログラム。
【発明の詳細な説明】
【技術分野】
【０００１】
本発明は、情報処理装置、表示データ提供方法、およびプログラムに関する。
【背景技術】
【０００２】
近年、ホームページ（homepage）やブログ（Blog；ウェブログ）などを介することによって、あるユーザが提供するテキストデータや画像データなどを不特定多数で共有することが可能となっている。
【０００３】
上記のようにホームページやブログに画像等が公開されることによって、ユーザの情報（例えば、ユーザの状態を示す情報）を不特定多数の者に伝達することができるが、その反面、当該ユーザのプライバシーが侵害される恐れがある。
【０００４】
このような中、ユーザの状態を画像により表す技術が開発されている。ユーザの健康状態を示すパラメータ情報に基づいて、ユーザの健康状態を示す画像を生成する技術としては、例えば、特許文献１が挙げられる。
【０００５】
【特許文献１】特開２００６−１１０３４０号公報
【発明の開示】
【発明が解決しようとする課題】
【０００６】
また、近年、ライフログ（Lifelog）と呼ばれるユーザの行動履歴を記録するシステムも登場している。今後、記録されたユーザの行動履歴の情報のうち、例えば、ユーザの購買履歴（購買行動）の情報に基づいて、ユーザの所有物の情報をネットワーク上で不特定多数の閲覧者と共有する利用形態が想定される。あるユーザの購買行動に基づく所有物の情報がネットワーク上で公開されることによって、当該ユーザの生活レベルや嗜好、ファッションセンスなどの情報を不特定多数の者と共有することができる。そして、あるユーザの購買行動に基づく所有物の情報が不特定多数の者と共有されることによって、当該ユーザと同種の物を所有する他者との間、あるいは当該ユーザと当該ユーザの所有物をこれから購入しようとする他者との間などにおいて繋がりが生まれ、ひいてはある程度の大きさのコミュニティにまで育つ可能性を秘めているからである。
【０００７】
ここで、ユーザの状態を画像により表す従来の技術は、ユーザの状態を直接（例えば、数値など）表すのではなく、画像という間接的な手段で表すため、ユーザのプライバシーを保ちながらユーザの状態を表すことができる可能性がある。しかしながら、ユーザの状態を画像により表す従来の技術では、入力された健康状態を示すパラメータ情報に基づいて単に画像を生成しているに過ぎない。つまり、ユーザの状態を画像により表す従来の技術は、パラメータ情報が生成された時点におけるユーザの状態（あるいは、当該生成された時点から予測される状態）しか表すことができない。さらに、ユーザの状態を画像により表す従来の技術では、経時的な情報をユーザの状態として表現することについて何らの示唆もされていない。よって、ユーザの状態を画像により表す従来の技術を、例えば、ユーザの購買行動に基づく所有物の情報の共有に用いたとしても、ユーザの状態を画像により表す従来の技術では、数年前に購入した所有物と数日前に購入した所有物とを区別して表すことができない。したがって、ユーザの状態を画像により表す従来の技術を用いたとしても、購買行動に基づく所有物の情報を公開しているユーザが、その所有物を長年所有しているのか、あるいは購入してそれ程経っていないのかを表すことができない（すなわち、情報量が少ない）ため、他者との繋がりがコミュニティまで発展する可能性は著しく低いものとなる。
【０００８】
したがって、ユーザの状態を画像により表す従来の技術をユーザの購買行動に基づく所有物の情報を不特定多数の者と共有させるために用いたとしても、ユーザのプライバシーを保ちながらユーザの状態を十分に表すことはできない。
【０００９】
本発明は、上記問題に鑑みてなされたものであり、本発明の目的とするところは、ユーザのプライバシーを保ちながらユーザの購買行動に基づく所有物の情報を不特定多数の者と共有させることが可能な、新規かつ改良された情報処理装置、表示データ提供方法、およびプログラムを提供することにある。
【課題を解決するための手段】
【００１０】
上記目的を達成するために、本発明の第１の観点によれば、商品を識別する商品識別情報と上記商品を購入した時間を示す購入時間情報とを含む購買履歴データをユーザごとに記憶する購買履歴記憶装置、および画像を表示する表示装置と通信可能な情報処理装置であって、ユーザを識別するユーザ識別情報と各ユーザをそれぞれ示すユーザ画像とが対応付けて記録されたユーザ画像データと、ユーザが購入により所有した所有物を示す第１の所有物画像と上記購入時間情報とが対応付けて記録された所有物データを記憶する記憶部と、上記購買履歴記憶装置、および／または、上記表示装置と通信を行う通信部と、上記購買履歴記憶装置から上記購買履歴データを取得する購買履歴データ取得部と、上記購買履歴データ取得部が取得した購買履歴データに基づいて上記所有物データを生成し、生成された上記所有物データを上記記憶部に記録する所有物データ記録部と、上記記憶部に記憶された所有物データの購入時間情報と現在の時間を規定する時間情報とに基づいて、上記記憶部に記憶された所有物データを、ユーザが所有物を購入してから現在までの時間間隔が表された第２の所有物画像を含む所有データへと更新する所有物データ更新部と、上記表示装置から送信される表示要求に応じて、上記表示要求が表示を要求するユーザを示すユーザ画像と上記ユーザが所有する所有物の画像とが示された表示データを生成する表示データ生成部とを備える情報処理装置が提供される。
【００１１】
かかる構成により、ユーザのプライバシーを保ちながらユーザの購買行動に基づく所有物の情報を不特定多数の者と共有させることができる。
【００１２】
また、上記所有物データ更新部は、上記記憶部に記憶された所有物データの購入時間情報と上記時間情報とに基づいて購入してからの経過時間を算出し、算出された上記経過時間に応じた上記第２の所有物画像を生成してもよい。
【００１３】
かかる構成により、ユーザが所有する所有物それぞれに係る経時的な情報を画像で表現することができる。
【００１４】
また、上記記憶部は、商品を識別する商品識別情報と上記商品を示す商品画像とが対応付けられた商品データをさらに記憶し、上記所有物データ記録部は、上記購買履歴データが有する上記商品識別情報に基づいて上記商品データの中から対応する商品画像を選択し、選択された上記商品画像を上記第１の所有物画像として上記所有物データを生成してもよい。
【００１５】
かかる構成により、ユーザのプライバシーを保ちながらユーザの購買行動に基づく所有物の情報を不特定多数の者と共有させることができる。
【００１６】
また、上記購買履歴データ取得部は、ユーザが商品を購入した購入元を示す購入元情報、および／または、ユーザの支払い方法の情報をさらに有する購買履歴データを取得し、上記所有物データ記録部は、さらに上記購買履歴データの上記購入元情報、および／または、支払い方法の情報に基づいて、上記第１の所有物画像を生成してもよい。
【００１７】
かかる構成により、ユーザのプライバシーを保ちながらユーザの購買行動に基づく所有物の情報を不特定多数の者と共有させることができる。
【００１８】
また、上記表示データ生成部は、上記表示要求に基づいて表示データを生成するユーザを特定する表示対象判定部と、上記表示対象判定部において特定されたユーザ、上記ユーザ画像データ、および上記所有物データに基づいて、上記表示データを生成するデータ生成部とを備えてもよい。
【００１９】
かかる構成により、ユーザのプライバシーを保ちながらユーザの購買行動に基づく所有物の情報を不特定多数の者と共有させることができる。
【００２０】
また、上記データ生成部は、上記所有物データにおいて、一の所有物に対応する上記第２の所有物画像がある場合には、上記第２の所有物画像を上記所有物の画像とする表示データを生成してもよい。
【００２１】
かかる構成により、ユーザが所有する所有物それぞれに係る経時的な情報が画像で表現されたユーザの購買行動に基づく所有物の情報を、不特定多数の者と共有させることができる。
【００２２】
また、上記記憶部は、所有物ごとの表示・非表示がグループごとに規定された第１のグループ情報をさらに含む所有物データを記憶し、上記表示対象判定部は、さらに上記表示要求に基づいてグループを判定し、上記データ生成部は、さらに上記表示対象判定部のグループの判定結果と上記所有物データの上記第１のグループ情報とに基づいて、上記所有物の画像が選択的に表示される表示データを生成してもよい。
【００２３】
かかる構成により、ユーザのプライバシーをより厚く保護することができる。
【００２４】
また、上記記憶部は、所有物ごとに詳細な表示または簡略化された表示が規定された表示方法が、グループごとに設定された第２のグループ情報をさらに含む所有物データを記憶し、上記表示対象判定部は、さらに上記表示要求に基づいてグループを判定し、上記データ生成部は、上記表示対象判定部のグループの判定結果と上記所有物データの上記第２のグループ情報とに基づいて、詳細に表示された所有物の画像、または簡略化して表示された所有物の画像が選択的に表示される表示データを生成してもよい。
【００２５】
かかる構成により、ユーザのプライバシーをより厚く保護することができる。
【００２６】
また、上記目的を達成するために、本発明の第２の観点によれば、商品を識別する商品識別情報と上記商品を購入した時間を示す購入時間情報とを含む購買履歴データをユーザごとに記憶する購買履歴記憶装置、および画像を表示する表示装置と通信を行う通信部と、ユーザを識別するユーザ識別情報と各ユーザをそれぞれ示すユーザ画像とが対応付けて記録されたユーザ画像データを記憶する記憶部とを備える情報処理装置に用いることが可能な表示データ提供方法であって、上記購買履歴記憶装置から上記購買履歴データを取得するステップと、上記取得するステップにおいて取得された購買履歴データに基づいて、ユーザが購入により所有した所有物を示す第１の所有物画像と上記購入時間情報とが対応付けて記録された所有物データを生成し、生成された上記所有物データを上記記憶部に記録するステップと、上記記憶部に記憶された所有物データの購入時間情報と現在の時間を規定する時間情報とに基づいて、上記記憶部に記憶された所有物データを、ユーザが所有物を購入してから現在までの時間間隔が表された第２の所有物画像を含む所有データへと更新するステップと、上記表示装置から送信された表示要求を受信した場合には、上記表示要求と上記ユーザ画像データと上記所有物データとに基づいて、上記表示要求が表示を要求するユーザを示すユーザ画像と上記ユーザが所有する所有物の画像とが示された表示データを生成するステップと、上記生成するステップにおいて生成された表示データを上記表示要求を送信した表示装置へ送信するステップとを有する表示データ提供方法が提供される。
【００２７】
かかる方法を用いることにより、ユーザのプライバシーを保ちながらユーザの購買行動に基づく所有物の情報を不特定多数の者と共有させることができる。
【００２８】
また、上記目的を達成するために、本発明の第３の観点によれば、商品を識別する商品識別情報と上記商品を購入した時間を示す購入時間情報とを含む購買履歴データをユーザごとに記憶する購買履歴記憶装置、および画像を表示する表示装置と通信を行う通信部と、ユーザを識別するユーザ識別情報と各ユーザをそれぞれ示すユーザ画像とが対応付けて記録されたユーザ画像データを記憶する記憶部とを備える情報処理装置に用いることが可能なプログラムであって、上記購買履歴記憶装置から上記購買履歴データを取得するステップ、上記取得するステップにおいて取得された購買履歴データに基づいて、ユーザが購入により所有した所有物を示す第１の所有物画像と上記購入時間情報とが対応付けて記録された所有物データを生成し、生成された上記所有物データを上記記憶部に記録するステップ、上記記憶部に記憶された所有物データの購入時間情報と現在の時間を規定する時間情報とに基づいて、上記記憶部に記憶された所有物データを、ユーザが所有物を購入してから現在までの時間間隔が表された第２の所有物画像を含む所有データへと更新するステップ、上記表示装置から送信された表示要求を受信した場合には、上記表示要求と上記ユーザ画像データと上記所有物データとに基づいて、上記表示要求が表示を要求するユーザを示すユーザ画像と上記ユーザが所有する所有物の画像とが示された表示データを生成するステップ、上記生成するステップにおいて生成された表示データを上記表示要求を送信した表示装置へ送信するステップをコンピュータに実行させるためのプログラムが提供される。
【００２９】
かかるプログラムにより、ユーザのプライバシーを保ちながらユーザの購買行動に基づく所有物の情報を不特定多数の者と共有させることができる。
【発明の効果】
【００３０】
本発明によれば、ユーザのプライバシーを保ちながらユーザの購買行動に基づく所有物の情報を不特定多数の者と共有させることができる。
【発明を実施するための最良の形態】
【００３１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３２】
（本発明の実施形態に係る情報処理装置の処理の概要）
本発明の実施形態に係る情報処理装置の構成について説明する前に、本発明の実施形態に係る情報処理装置の処理の概要について説明する。
【００３３】
本発明の実施形態に係る情報処理装置は、例えば以下の（１）〜（５）の処理によって、ユーザのプライバシーを保ちながらユーザの購買行動に基づく所有物の情報を不特定多数の者と共有させることを可能とする。
【００３４】
（１）ユーザの購買履歴データの取得
本発明の実施形態に係る情報処理装置は、例えば購買履歴記憶装置（外部装置）からユーザの購買履歴データを取得する。ここで、本発明の実施形態に係る購買履歴データとは、例えば、ＪＡＮ（Japanese  Article  Number）コードなど商品を識別する商品識別情報と、商品を購入した時間を示す購入時間情報とを少なくとも含むデータである。なお、本発明の実施形態に係る購買履歴データに含まれる情報は、上記に限られず、例えば、ユーザが商品を購入した購入元を示す購入元情報、ローンで購入したかなどを示すユーザの支払い方法の情報、購入した商品が新品か中古品かを示す新古情報を含んでいてもよい。また、本発明の実施形態に係る情報処理装置が購買履歴データを取得する購買履歴記憶装置としては、例えば、クレジットカードを発行している会社が所有するサーバ（Server）や、会員証と購買商品とを対応付けて記憶している販売店が所有するサーバ、ネットショッピングのサイトを運営している会社が所有するサーバ、電子マネーを発行している会社が所有するサーバなどが挙げられるが、上記に限られない。
【００３５】
（２）所有物データの生成
本発明の実施形態に係る情報処理装置は、取得した購買履歴データに基づいて、ユーザが所有する所有物の情報が記録された所有物データを生成して記憶する。ここで、本発明の実施形態に係る所有物データとは、例えば、各ユーザが購入により所有した所有物を示す所有物画像と、購入時間情報とが対応付けて記録されたデータをいう。
【００３６】
本発明の実施形態に係る情報処理装置は、例えば、購買履歴データが有する商品識別情報によりユーザが購入した商品を判別し、判別された商品に対応する商品画像が記録された商品画像データベースの中から抽出することによって、所有物画像を得ることができる。以下、商品画像データベースの中から抽出された画像に対応する所有物画像、あるいは、商品画像データベースの中から抽出された画像に基づいて加工された画像（例えば、後述する図２（ｇ）、図３、図４に示す画像）を、「第１の所有物画像」という。また、本発明の実施形態に係る情報処理装置は、購買履歴データから購入時間情報を得る。なお、本発明の実施形態に係る所有物データに含まれる情報は、上記に限られず、例えば、所有物画像の表示・非表示（公開・非公開）を規定する情報（後述する第１のグループ情報に対応）や、所有物画像の表示方法を規定する情報（後述する第２のグループ情報に対応）を含むこともできる。
【００３７】
（３）所有物データの更新
本発明の実施形態に係る情報処理装置は、上記（２）において一の所有物に対して生成した所有物データについて、当該所有物データの購入時間情報と現在の時間を規定する時間情報とに基づいて、ユーザが所有物を購入してから現在までの時間間隔が表された「第２の所有物画像」を生成し、生成された第２の所有物画像を含む所有物データへと更新する。本発明の実施形態に係る情報処理装置は、上記のように所有物データの更新を行うことによって、ユーザが所有する所有物それぞれに係る経時的な情報を画像で表現することができる。なお、本発明の実施形態に係る所有データの更新は、一回行われることに限られず、購入してからの時間の経過に応じて複数回行うことができる。よって、本発明の実施形態に係る第２の所有物画像とは、更新の回数によらず、ユーザが所有物を購入してから現在までの時間間隔が表された画像を指す。
【００３８】
（４）表示データの生成
本発明の実施形態に係る情報処理装置は、表示要求に応じて、当該表示要求が表示を要求するユーザを示すユーザ画像と当該ユーザが所有する所有物の画像とが示された表示データを生成する。ここで、上記表示要求は、例えば、ネットワークを介して接続される表示装置（外部装置）から送信されるが、上記に限られない。また、表示データを構成する所有物の画像は、第１の所有物画像または第２の所有物画像に対応する。
【００３９】
本発明の実施形態に係る情報処理装置は、例えば、表示要求が表示を要求するユーザの情報によって表示データの生成対象となるユーザを判別し、判別されたユーザに対応する画像を、ユーザを識別するユーザ識別情報と各ユーザをそれぞれ示すユーザ画像とが対応付けて記録されたユーザ画像データ（例えば、ユーザ画像データベース）の中から抽出することによって、ユーザ画像を得ることができる。
【００４０】
また、本発明の実施形態に係る情報処理装置は、例えば、上記（２）で生成された第１の所有物画像、あるいは、上記（３）で生成された第２の所有物画像を、所有物の画像とする。より具体的には、本発明の実施形態に係る情報処理装置は、例えば、判別されたユーザが所有するある所有物について、第１の所有物画像と、１または２以上の第２の所有物画像とが所有物データ内にある場合には、表示データの生成時を基準として直近に生成された第２の所有物画像を、表示データを構成する所有物の画像とする。
【００４１】
さらに、本発明の実施形態に係る情報処理装置は、例えば、Ａ社製のテレビとＢ社製のテレビなど商品としては異なるが、テレビという同種のカテゴリに属する商品が所有物データの中に存在する場合には、表示データの生成時を基準として購入時間が直近の商品に対応する所有物の所有物画像を、表示データを構成する所有物の画像とすることもできる。ここで、本発明の実施形態に係る情報処理装置は、例えば、所有物データの購入時間情報に基づいて、表示データの生成時を基準として購入時間が直近の商品を選択することができる。なお、本発明の実施形態に係る情報処理装置が、同種のカテゴリを問わず、ユーザが所有する全ての所有物それぞれを示す所有物画像を、表示データを構成する所有物の画像とすることができることは、言うまでもない。
【００４２】
図１は、本発明の実施形態に係る表示データの一例を示す説明図である。図１（ａ）は、あるユーザについて、第１の時点において生成された表示データを示しており、また、図１（ｂ）は、当該ユーザについて、第２の時点（第１の時点よりも時が経過した時点）において生成された表示データを示している。
【００４３】
上記のように、本発明の実施形態に係る情報処理装置は、表示データの生成時を基準として表示データを構成する所有物の画像を選択する。したがって、本発明の実施形態に係る情報処理装置は、例えば、第１の時点において生成した表示データに表示されるテレビ（図１（ａ）のＡ）を、第２の時点において生成した表示データでは、ユーザが所有物を購入してから現在までの時間間隔が表された画像へと変化させることができる（図１（ｂ）のＡ’）。また、本発明の実施形態に係る情報処理装置は、第１の時点において生成した表示データでは表示されていないカメラを、第２の時点において生成した表示データでは表示することができる（図１（ｂ）のＢ）。
【００４４】
（５）表示データの送信／表示
本発明の実施形態に係る情報処理装置は、上記（４）で生成した表示データを表示要求の送信元の装置（例えば、ネットワークを介して接続される表示装置）に送信し、当該送信元の装置に表示データを表示させる。したがって、本発明の実施形態に係る情報処理装置は、ユーザの購買行動に基づく所有物の情報を間接的に表す画像を介して、ユーザの購買行動に基づく所有物の情報を不特定多数の者と共有させることができる。
【００４５】
本発明の実施形態に係る情報処理装置は、上記（１）〜（５）の処理によって、例えば外部装置としての表示装置から送信される表示要求に応じた表示データを生成し、生成した表示データを当該表示装置に表示させることができる。図１に示すように、本発明の実施形態に係る情報処理装置は、表示データの生成時を基準として表示データを構成する所有物の画像を選択するので、例えば数年前に購入した所有物と数日前に購入した所有物とを明確に区別した上で、ユーザの購買行動に基づく所有物の情報を画像で表すことができる。したがって、本発明の実施形態に係る情報処理装置は、ユーザのプライバシーを保ちながらユーザの購買行動に基づく所有物の情報を不特定多数の者と共有させることができる。
【００４６】
（本発明の実施形態に係る所有物の画像の表現例）
図１では本発明の実施形態に係る表示データの一例を示し、例えば、図１（ａ）のＡ、図１（ｂ）のＡ’に示すように、表示データの生成時を基準として表示データを構成する所有物の画像が変化することを示した。これは、上記（３）において示したように、所有物データが更新され、ユーザが所有物を購入してから現在までの時間間隔が表された第２の所有物画像が生成されることによって、実現される。しかしながら、本発明の実施形態に係る所有物の画像が変化は、図１に示す例に限られない。そこで次に、本発明の実施形態に係る所有物の画像の表現方法を例示する。なお、以下では、図１（ａ）のＡおよび図１（ｂ）のＡ’に示すテレビと対比させるために、テレビを例に挙げる。
【００４７】
〔１〕第１の例：時間の経過に基づく変化を表す表現方法
まず、本発明の実施形態に係る所有物の画像の変化の第１の例として、時間の経過に基づく変化を表す表現方法を示す。本発明の実施形態に係る情報処理装置は、所有物データの購入時間情報と現在の時間を規定する時間情報とに基づいて、例えば、所有物を購入してからの経過時間を算出し、算出された経過時間に応じて第２の所有物画像を生成することによって、表示データを時間の経過に基づいて変化させる。図２は、本発明の実施形態に係る所有物の画像の表現例を示す第１の説明図である。
【００４８】
〔１−１〕色の変化（図２（ａ））
本発明の実施形態に係る情報処理装置は、例えば、カラー画像（第１の所有物画像）からセピア色の画像や白黒画像へと画像の色を変化させた第２の所有物画像を生成する。本発明の実施形態に係る情報処理装置は、図２（ａ）に示すように色情報を用いることによって、時間の経過に基づく所有物の変化を表現することができる。
【００４９】
〔１−２〕タグの変化（図２（ｂ））
本発明の実施形態に係る情報処理装置は、例えば、「ＮＥＷ」というタグが付された画像（第１の所有物画像）から「ＯＬＤ」というタグが付された画像へとタグを変化させた第２の所有物画像を生成する。本発明の実施形態に係る情報処理装置は、図２（ｂ）に示すように文字情報を用いることによって、時間の経過に基づく所有物の変化を表現することができる。
【００５０】
〔１−３〕画像の変化（図２（ｃ））
本発明の実施形態に係る情報処理装置は、例えば、新しさを強調する画像（第１の所有物画像）から古さを強調する画像へと変化させた第２の所有物画像を生成する。本発明の実施形態に係る情報処理装置は、図２（ｃ）に示すように視覚的な情報を用いることによって、時間の経過に基づく所有物の変化を表現することができる。
【００５１】
〔１−４〕サイズの変化（図２（ｄ））
本発明の実施形態に係る情報処理装置は、例えば、一のサイズの画像（第１の所有物画像）から徐々にサイズを小さくした画像へと変化させた第２の所有物画像を生成する。本発明の実施形態に係る情報処理装置は、図２（ｄ）に示すように視覚的な情報を用いることによって、時間の経過に基づく所有物の変化を表現することができる。
【００５２】
〔１−５〕画像の簡略化による変化（図２（ｅ））
本発明の実施形態に係る情報処理装置は、例えば、一の画像（第１の所有物画像）を徐々に簡略化させた画像へと変化させた第２の所有物画像を生成する。本発明の実施形態に係る情報処理装置は、図２（ｅ）に示すように視覚的な情報を用いることによって、時間の経過に基づく所有物の変化を表現することができる。
【００５３】
〔１−６〕収納されたことを示す画像への変化（図２（ｆ））
本発明の実施形態に係る情報処理装置は、例えば、一の画像（第１の所有物画像）が収納されたことを示す画像へと変化させた第２の所有物画像を生成する。本発明の実施形態に係る情報処理装置は、図２（ｆ）に示すように視覚的な情報を用いることによって、時間の経過に基づく所有物の変化を表現することができる。
【００５４】
〔１−７〕購入直後を示す画像からの変化（図２（ｇ））
本発明の実施形態に係る情報処理装置は、例えば、購入直後を示すために商品の画像と箱の画像とを並べた画像（第１の所有物画像）から商品のみの画像へと変化させた第２の所有物画像を生成する。本発明の実施形態に係る情報処理装置は、図２（ｇ）に示すように視覚的な情報を用いることによって、時間の経過に基づく所有物の変化を表現することができる。
【００５５】
本発明の実施形態に係る情報処理装置は、例えば、上記〔１−１〕〜〔１−７〕に示すような第２の所有物画像を生成することによって、表示データを時間の経過に基づいて変化させることができる。なお、本発明の実施形態に係る時間の経過に基づく変化を表す方法が、上記に限られないことは、言うまでもない。
【００５６】
〔２〕第２の例：支払い方法に基づく変化を表す表現方法
次に、本発明の実施形態に係る所有物の画像の変化の第２の例として、支払い方法に基づく変化を表す表現方法を示す。本発明の実施形態に係る情報処理装置は、購買履歴データに含まれるユーザの支払い方法の情報に基づいて、例えば、ユーザがローンで購入したか否かやローンの回数などの情報を取得する。そして、本発明の実施形態に係る情報処理装置は、取得された情報、所有物データの購入時間情報、および現在の時間を規定する時間情報に基づいて、第１の所有物画像と第２の所有物画像を生成することによって、表示データを支払い方法に基づいて変化させる。図３は、本発明の実施形態に係る所有物の画像の表現例を示す第２の説明図である。
【００５７】
〔２−１〕表示箇所の変化（図３（ａ））
本発明の実施形態に係る情報処理装置は、例えば、ローンの残高の減少やローンの回数の減少に応じて、所有物の画像の一部が表示された画像（第１の所有物画像）から徐々に表示される範囲が大きな画像へと変化させた第２の所有物画像を生成する。本発明の実施形態に係る情報処理装置は、図３（ａ）に示すように視覚的な情報を用いることによって、支払い方法に基づく所有物の変化を表現することができる。
【００５８】
〔２−２〕画像の詳細化による変化（図３（ｂ））
本発明の実施形態に係る情報処理装置は、例えば、ローンの残高の減少やローンの回数の減少に応じて、簡略化された所有物の画像（第１の所有物画像）を徐々に詳細化された画像へと変化させた第２の所有物画像を生成する。本発明の実施形態に係る情報処理装置は、図３（ｂ）に示すように視覚的な情報を用いることによって、支払い方法に基づく所有物の変化を表現することができる。
【００５９】
本発明の実施形態に係る情報処理装置は、例えば、上記〔２−１〕、〔２−２〕に示すような第１の所有物画像、第２の所有物画像を生成することによって、表示データを支払い方法に基づいて変化させることができる。なお、本発明の実施形態に係る支払い方法に基づく変化を表す方法が、上記に限られないことは、言うまでもない。
【００６０】
〔３〕第３の例：商品の入手方法を表す表現方法
上記〔１〕、〔２〕では、時間の経過や支払い方法などに基づく画像の変化の表現方法を示した。しかしながら、本発明の実施形態に係る画像の表現方法は上記に限られず、商品の入手方法を表現することもできる。本発明の実施形態に係る情報処理装置は、例えば、購買履歴データからユーザが商品を購入した購入元を示す購入元情報や商品の新古を示す情報などを取得する。そして、本発明の実施形態に係る情報処理装置は、取得された情報に基づいて所有物の入手経路や所有物の新古などを特定することによって、商品の入手方法を表す所有物の画像を生成する。図４は、本発明の実施形態に係る所有物の画像の表現例を示す第３の説明図である。
【００６１】
〔３−１〕タグによる入手方法の表現（図４（ａ））
本発明の実施形態に係る情報処理装置は、例えば、「ＳＡＬＥ」や「ＵＳＥＤ」などのタグが付された画像（第１の所有物画像）を生成する。本発明の実施形態に係る情報処理装置は、図４（ａ）に示すように視覚的な情報を用いることによって、ユーザがその所有物をどのようにして入手したのかを表現することができる。
【００６２】
〔３−２〕購入元を示す画像による入手方法の表現（図４（ｂ））
本発明の実施形態に係る情報処理装置は、例えば、購入元が示された箱や包装を表す画像と商品の画像とを並べた画像（第１の所有物画像）を生成する。本発明の実施形態に係る情報処理装置は、図４（ｂ）に示すように視覚的な情報を用いることによって、ユーザがその所有物をどこから入手したのかを表現することができる。
【００６３】
本発明の実施形態に係る情報処理装置は、例えば、上記〔３−１〕、〔３−２〕に示すような第１の所有物画像を生成することによって、商品の入手方法を表す所有物の画像を生成することができる。なお、本発明の実施形態に係る商品の入手方法を表す方法が、上記に限られないことは、言うまでもない。例えば、本発明の実施形態に係る情報処理装置は、上記〔３−１〕、〔３−２〕を組み合わせることによって、ユーザがその所有物をどこからどのようにして入手したのかを視覚的に表現することができる。
【００６４】
〔４〕第４の例：所有物の履歴の表現方法
上記〔１〕〜〔３〕では、所有物の一例としてテレビを挙げて一の所有物に係る表現方法を示した。次に、本発明の実施形態に係る情報処理装置における所有物の画像の他の表現方法として、ユーザの所有物の履歴を表現する方法を示す。図５は、本発明の実施形態に係る所有物の画像の表現例を示す第４の説明図である。ここで、図５は、表示装置において、本発明の実施形態に係る情報処理装置が生成した表示データが表示された表示画面を示している。
【００６５】
図５に示すように、本発明の実施形態に係る表示データは、例えば指定された時間ごとにユーザの所有物を示すためのスライドバーＳを有する。そして、本発明の実施形態に係る表示データは、スライドバーＳが示す時間が変化するごとに、スライドバーＳが示す指定された時間にユーザが所有していた所有物の画像を示す。例えば、図５（ａ）は表示データが生成された時点におけるユーザの所有物が示されており、また、図５（ｂ）は表示データが生成された時点を基準とした５年前におけるユーザの所有物を示している。ここで、本発明の実施形態に係る情報処理装置は、例えば、スライドバーＳで指定可能な値それぞれと対応する所有物の画像が予めグループ化することによって、図５に示すようなユーザの所有物の履歴を表現する表示データを生成することができるが、上記に限られない。
【００６６】
本発明の実施形態に係る情報処理装置は、図５に示すような表示データを生成することによって、ユーザの所有物の履歴を表現し、ユーザの所有物の履歴の情報を不特定多数の者で共有させることができる。
【００６７】
〔５〕第５の例：グループ情報を用いた選択的な表現方法
上述したように、本発明の実施形態に係る情報処理装置は、例えば、表示装置から送信される表示要求に応じて表示データを生成することができる。しかしながら、本発明の実施形態に係る情報処理装置は、表示要求を受け取った場合に同じ表示データを生成することに限られず、例えば、表示要求を送信した装置ごとに異なる表示データを生成することもできる。
【００６８】
本発明の実施形態に係る情報処理装置は、例えば、所有物データ内に表示データ生成時に参照されるグループ情報を有することによって、表示要求を送信した装置ごとに異なる表示データを生成する。より具体的には、本発明の実施形態に係る情報処理装置は、例えば、表示要求に基づいてグループを判定し、グループの判定結果と所有物データ内のグループ情報とに基づいて、各所有物が選択的に表現された表示データを生成する。ここで、本発明の実施形態に係る情報処理装置は、例えば、表示要求に含まれるＩＰアドレス（Internet  Protocol  Address）やＭＡＣアドレス（Media  Access  Control  Address）などの装置識別情報に基づいてグループを判定することができるが、上記に限られない。以下、本発明の実施形態に係るグループ情報を用いた選択的な表現方法について、より具体的に示す。
【００６９】
〔５−１〕グループ情報を用いた所有物画像の表示・非表示
図６は、本発明の実施形態に係る所有物の画像の表現例を示す第５の説明図であり、グループ情報を用いた選択的な表現方法の第１の例を示している。ここで、図６は、ほぼ同時刻に表示要求を送信した所有物データのグループ情報においてグループＡに属する一の表示装置に表示された表示画面（図６（ａ））と、所有物データのグループ情報においてグループＢに属する他の表示装置に表示された表示画面（図６（ｂ））とをそれぞれ示している。
【００７０】
図６（ａ）、図６（ｂ）に示すように、グループＡに属する表示装置の表示画面において表示されているテレビＡおよびカメラＢが、グループＢに属する表示装置の表示画面では表示されていない。本発明の実施形態に係る情報処理装置は、図６に示すように、表示要求を送信する装置に応じて、生成する表示データを変更することができる。
【００７１】
〔５−２〕グループ情報を用いた所有物画像の簡略化・詳細化
本発明の実施形態に係るグループ情報を用いた選択的な表現方法は、所有物画像の表示・非表示に限られない。図７は、本発明の実施形態に係る所有物の画像の表現例を示す第６の説明図であり、グループ情報を用いた選択的な表現方法の第２の例を示している。ここで、図７は、図６と同様に、ほぼ同時刻に表示要求を送信した所有物データのグループ情報においてグループＡに属する一の表示装置に表示された表示画面（図７（ａ））と、所有物データのグループ情報においてグループＢに属する他の表示装置に表示された表示画面（図７（ｂ））とをそれぞれ示している。
【００７２】
図７（ａ）、図７（ｂ）に示すように、グループＡに属する表示装置の表示画面において詳細に示されているテレビＡおよびカメラＢが、グループＢに属する表示装置の表示画面では簡略化された画像（テレビＡ’’およびカメラＢ’）で表されている。ここで、本発明の実施形態に係る詳細に示された画像としては、例えば、商品の形状が細部まで示された画像や、その商品のメーカーや型番が示された画像などが挙げられるが、上記に限られない。本発明の実施形態に係る情報処理装置は、図７に示すように、表示要求を送信する装置に応じて、生成する表示データを変更することができる。
【００７３】
本発明の実施形態に係る情報処理装置は、図６、図７に示すような表示データを生成することによって、グループ情報を用いて表示データを構成する所有物の画像を選択的に表現することができる。グループ情報を用いて表示データを構成する所有物の画像が選択的に表現されることによって、本発明の実施形態に係る情報処理装置は、例えば、親しい友人や家族などに対して行う表示と、不特定の者に対して行う表示とを分けることができる。したがって、本発明の実施形態に係る情報処理装置は、ユーザの所有物の情報を画像によって不特定多数の者に与えるだけでなく、ユーザの所有物の情報を選択的に与えることができるので、ユーザのプライバシーをより厚く保護することができる。なお、本発明の実施形態に係るグループ情報を用いた表現方法が、上記に限られないことは、言うまでもない。例えば、本発明の実施形態に係る情報処理装置は、上記〔５−１〕、〔５−２〕を組み合わせることによって、ユーザの所有物ごとにさらに細かな表示制御を行うことができる。
【００７４】
本発明の実施形態に係る表示装置は、例えば、図２〜図７に示すように購買行動に基づく所有物の画像が表現された表示データを生成して、表示要求の送信元の装置に送信し、当該表示要求の送信元の装置に表示データが示す画像を表示させることができる。したがって、本発明の実施形態に係る表示装置は、ユーザのプライバシーを保ちながらユーザの購買行動に基づく所有物の情報を不特定多数の者と共有させることができる。以下、本発明の実施形態に係る所有物情報提供システムと、情報処理装置の構成について、具体的に説明する。
【００７５】
（本発明の実施形態に係る所有物情報提供システム）
図８は、本発明の実施形態に係る所有物情報提供システム１０００を示すブロック図である。図８を参照すると、所有物情報提供システム１０００は、購買履歴記憶装置２００と、表示装置３００、４００、…と、情報処理装置１００とを有する。また、情報処理装置１００と、購買履歴記憶装置２００および各表示装置とは、ネットワーク５００で接続される。
【００７６】
ここで、ネットワーク５００としては、例えば、ＬＡＮ（Local  Area  Network）やＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネット（Internet）などが挙げられるが、上記に限られない。また、情報処理装置１００と、購買履歴記憶装置２００および各表示装置とは、例えば、無線基地局を介して接続されてもよい。
【００７７】
［購買履歴記憶装置２００］
購買履歴記憶装置２００は、記憶部２０２と、通信部２０４と、データ抽出部２０６と、データ送信制御部２０８とを備え、情報処理装置１００からの購買履歴データ取得要求に応じて、購買履歴データを情報処理装置１００へ送信する。
【００７８】
また、購買履歴記憶装置２００は、ＭＰＵ（Micro  Processing  Unit）などで構成され、制御用プログラムなどを用いて様々な演算処理を行い購買履歴記憶装置２００全体を制御する制御部（図示せず）、制御部（図示せず）が使用するプログラムや演算パラメータなどの制御用データが記録されたＲＯＭ（Read  Only  Memory；図示せず）、制御部（図示せず）により実行されるプログラムなどを一次記憶するＲＡＭ（Random  Access  Memory；図示せず）、購買履歴記憶装置２００のユーザが操作可能な操作部（図示せず）、表示部（図示せず）などを備えてもよい。購買履歴記憶装置２００は、例えば、データの伝送路としてのバス（bus）で各構成要素間を接続する。
【００７９】
ここで、操作部（図示せず）としては、例えば、キーボードやマウスなどの操作入力デバイスや、ボタン、方向キー、ジョグダイヤルなどの回転型セレクター、あるいは、これらの組み合わせなどが挙げられるが、上記に限られない。また、表示部（図示せず）としては、例えば、ＬＣＤ（Liquid  Crystal  Display；液晶ディスプレイ）、有機ＥＬディスプレイ（Organic  ElectroLuminescence  display；または、ＯＬＥＤディスプレイ（Organic  Light  Emitting  Diode  display）とも呼ばれる。）などが挙げられるが、上記に限られない。
【００８０】
記憶部２０２は、購買履歴記憶装置２００が備える記憶手段である。記憶部２０２には、例えば、各ユーザの購買履歴データが記憶された購買履歴データベース２１０が記憶される。なお、図８では、購買履歴データが記憶部２０２にデータベース形式で記録される例を示しているが、上記に限られず、例えば、ファイル形式で記録されてもよい。
【００８１】
また、記憶部２０２としては、例えば、ハードディスク（Hard  Disk）などの磁気記録媒体や、フラッシュメモリ（flash  memory）などの不揮発性メモリ（nonvolatile  memory）が挙げられるが、上記に限られない。
【００８２】
通信部２０４は、ネットワーク５００を介して、情報処理装置１００などと通信を行う。より具体的には、通信部２０４は、例えば、情報処理装置１００から送信される購買履歴データの取得要求を受信し、当該取得要求に基づいた購買履歴データを情報処理装置１００へ送信する。
【００８３】
データ抽出部２０６は、例えばＭＰＵなどで構成され、通信部２０４が受信した購買履歴データの取得要求に基づいて、記憶部２０２の購買履歴データベース２１０を検索し、当該取得要求に適合した購買履歴データを抽出する。ここで、データ抽出部２０６は、例えば、通信部２０４が受信した購買履歴データの取得要求をＳＱＬなどのデータベース言語に変換することによって、購買履歴データベース２１０からサービス情報を抽出するが、上記に限られない。
【００８４】
データ送信制御部２０８は、例えばＭＰＵなどで構成され、データ抽出部２０６が抽出した購買履歴データを、購買履歴データの取得要求を送信した情報処理装置１００へと送信させる。
【００８５】
購買履歴記憶装置２００は、上記のような構成を有することによって、情報処理装置１００から送信される購買履歴データの取得要求に適合する購買履歴データを情報処理装置１００へ送信することができる。
【００８６】
［表示装置３００、４００、…］
表示装置３００、４００、…それぞれは、通信部（図示せず）と、表示要求生成部（図示せず）と、表示部（図示せず）とを備え、ネットワーク５００を介して情報処理装置１００へ表示要求を送信し、情報処理装置１００から表示要求に応じて送信される表示データを受信して表示する。
【００８７】
また、表示装置３００、４００、…それぞれは、ＭＰＵなどで構成され制御用プログラムなどを用いて様々な演算処理を行い表示装置全体を制御する制御部（図示せず）、制御部が使用するプログラムや演算パラメータなどの制御用データが記録されたＲＯＭ（図示せず）、制御部により実行されるプログラムなどを一次記憶するＲＡＭ（図示せず）などを備えてもよい。表示装置３００、４００、…それぞれは、例えば、データの伝送路としてのバスで各構成要素間を接続する。
【００８８】
通信部（図示せず）は、例えばネットワーク５００を介して、情報処理装置１００などと通信を行う。より具体的には、通信部（図示せず）は、例えば、情報処理装置１００へ表示要求を送信し、情報処理装置１００から表示要求に応じて送信される表示データを受信する。
【００８９】
表示要求生成部（図示せず）は、例えばＭＰＵなどで構成され、所有物の情報の表示を所望するユーザＩＤや、表示装置を識別する装置識別情報（例えば、ＭＡＣアドレスなど）などの情報を有する表示要求を生成し、生成した表示要求を通信部２０４に送信させる。
【００９０】
表示部（図示せず）は、通信部が受信した表示データが示す画像を表示画面に表示する。ここで、表示部（図示せず）としては、例えば、ＬＣＤや有機ＥＬディスプレイなどが挙げられるが、上記に限られない。
【００９１】
表示装置３００、４００、…それぞれは、上記のような構成を有することによって、情報処理装置１００へ表示要求を送信し、情報処理装置１００から表示要求に応じて送信される表示データを受信して表示することができる。
【００９２】
［情報処理装置１００］
次に、本発明の実施形態に係る情報処理装置１００について説明する。
【００９３】
情報処理装置１００は、記憶部１０２と、通信部１０４と、購買履歴データ取得部１０６と、所有物データ記録部１０８と、商品画像取得部１１０と、所有物データ更新部１１２と、表示データ生成部１１４と、操作部１２０と、表示部１２２とを備える。
【００９４】
また、情報処理装置１００は、ＭＰＵなどで構成され制御用プログラムなどを用いて様々な演算処理を行い情報処理装置１００全体を制御する制御部（図示せず）や、制御部が使用するプログラムや演算パラメータなどの制御用データが記録されたＲＯＭ（図示せず）、制御部により実行されるプログラムなどを一次記憶するＲＡＭ（図示せず）などを備えてもよい。情報処理装置１００は、例えば、データの伝送路としてのバスで各構成要素間を接続する。また、上記制御部は、購買履歴データ取得部１０６、所有物データ記録部１０８、商品画像取得部１１０、所有物データ更新部１１２、および表示データ生成部１１４として機能することもできる。
【００９５】
[情報処理装置１００のハードウェア構成例]
図９は、本発明の実施形態に係る情報処理装置１００のハードウェア構成の一例を示す説明図である。図９を参照すると、情報処理装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４と、時計１６６とを備える。また、情報処理装置１００は、例えば、データの伝送路としてのバス１６８で各構成要素間を接続する。
【００９６】
ＭＰＵ１５０は、情報処理装置１００全体を制御する制御部として機能する。また、ＭＰＵ１５０は、情報処理装置１００において、購買履歴データ取得部１０６、所有物データ記録部１０８、商品画像取得部１１０、所有物データ更新部１１２、および表示データ生成部１１４の役目を果たすことができる。
【００９７】
ＲＯＭ１５２は、ＭＰＵ１５０が使用するプログラムや演算パラメータなどの制御用データを記憶し、また、ＲＡＭ１５４は、ＭＰＵ１５０により実行されるプログラムなどを一次記憶する。
【００９８】
記録媒体１５６は、情報処理装置１００の記憶部１０２として機能し、例えば、生成した表示データや、購買履歴記憶装置２００から取得される購買履歴データ、アプリケーションなどを記憶する。ここで、記録媒体１５６としては、例えば、ハードディスクなどの磁気記録媒体や、ＥＥＰＲＯＭ、フラッシュメモリ、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリが挙げられるが、上記に限られない。
【００９９】
入出力インタフェース１５８は、例えば、操作入力デバイス１６０や、表示デバイス１６２を接続する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子などが挙げられるが、上記に限られない。また、操作入力デバイス１６０は、例えば、ボタン、方向キー、ジョグダイヤルなどの回転型セレクター、あるいは、これらの組み合わせなど、情報処理装置１００上に備えられ、情報処理装置１００の内部で入出力インタフェース１５８と接続される。また、表示デバイス１６２は、例えば、ＬＣＤ、有機ＥＬディスプレイなど、情報処理装置１００上に備えられ、情報処理装置１００の内部で入出力インタフェース１５８と接続される。なお、入出力インタフェース１５８は、情報処理装置１００の外部装置としての操作入力デバイス（例えば、キーボードやマウスなど）や、表示デバイス（例えば、外部ディスプレイなど）と接続することもできることは、言うまでもない。
【０１００】
また、操作入力デバイス１６０は操作部１２０として機能し、表示デバイス１６２は表示部１２２として機能する。
【０１０１】
通信インタフェース１６４は、外部装置と通信を行うためのインタフェースであり、通信部１０４として機能する。ここで、通信インタフェース１６４としては、例えば、ＬＡＮ端子、ＩＥＥＥ８０２．１１ポート、ＲＦ（Radio  Frequency）回路などが挙げられるが、上記に限られない。
【０１０２】
時計１６６は、例えば、表示データの生成時間などを規定する時間情報を生成する。ここで、時計１６６としては、例えば、機械式時計、クォーツ時計、電波時計などが挙げられるが、上記に限らない。
【０１０３】
情報処理装置１００は、図９に示すようなハードウェア構成により、上述した（１）〜（５）の処理を行い、例えば表示装置から送信される表示要求に応じた表示データを生成し、生成した表示データを当該表示装置に表示させることができる。
【０１０４】
再度図８を参照して、情報処理装置１００の各構成要素について説明する。記憶部１０２は、情報処理装置１００が備える記憶手段である。記憶部１０２には、例えば、ユーザ画像データと、所有物データと、商品画像データとが記憶される。
【０１０５】
ここで、ユーザ画像データには、例えば、ユーザを識別するユーザ識別情報（例えば、ユーザＩＤ）と各ユーザをそれぞれ示すユーザ画像とがユーザごとに対応付けて記録される。所有物データには、例えば、各ユーザが購入により所有した所有物を示す所有物画像（上述した第１の所有物画像／第２の所有物画像）と商品を購入した時間を示す購入時間情報とが対応付けて記録される。また、商品画像データには、商品を識別する商品識別情報（例えば、ＪＡＮコード）と、各商品に対応する商品画像とが対応付けて記録される。
【０１０６】
また、記憶部１０２は、生成した表示データや、購買履歴記憶装置２００から取得される購買履歴データ、グループ情報（例えば、グループデータベースとして記憶される。）、アプリケーションなどを記憶することもできる。図８では、記憶部１０２に、ユーザ画像データが記録されたユーザ画像データベース１３０と、所有物データが記録された所有物データベース１３２と、商品画像データが記録された商品画像データベース１３４とが記憶されている例を示している。なお、図８では、ユーザ画像データ、所有物データ、および商品画像データがそれぞれ記憶部２０２にデータベース形式で記録される例を示しているが、上記に限られず、例えば、ファイル形式で記録されてもよい。
【０１０７】
〔ユーザ画像データベース１３０の例〕
図１０は、本発明の実施形態に係るユーザ画像データベース１３０の一例を示す説明図である。図１０に示すように、ユーザ画像データベース１３０には、例えば、各ユーザを識別するための「ユーザＩＤ」、各ユーザの名称を示す「ユーザ名」、および各ユーザを画像で示すための「画像データ」が記憶される。ここで、図１０に示す各行が一のユーザに対応するユーザ画像データに相当する。
【０１０８】
〔所有物データベース１３２の例〕
図１１は、本発明の実施形態に係る所有物データベース１３２の一例を示す説明図である。図１１に示すように、所有物データベース１３２には、例えば、「ユーザＩＤ」、各ユーザが所有する所有物を示す「所有物」、各所有物の購入日を示す「購入日」、各所有物の入手方法が規定される「入手方法」、各所有物における第１の所有物画像または第２の所有物画像を示す「画像データ」、各画像データが登録された日時を示す「画像データ登録日時」、およびグループ情報を示す「グループＡ表示可否」（表示可否は、第１のグループ情報に対応する。）〜「グループＢ表示方法」（表示方法は、第２のグループ情報に対応する。）が記憶される。ここで、図１１に示す各行が一の所有物に対応する所有物データに相当する。
【０１０９】
また、上述したように、本発明の実施形態に係る情報処理装置１００は、所有物データの購入時間情報と現在の時間を規定する時間情報とに基づいて所有物データの更新を行うため、所有物データベース１３２には、一の所有物に対して複数の所有物データが記録されることとなる。なお、図１１では、所有物データベース１３２にｕｓｅｒＡという１のユーザの所有物データが記憶されている例を示しているが、本発明の実施形態に係る所有物データベース１３２は上記に限られず、複数のユーザの所有物データを記憶することもできる。
【０１１０】
〔商品画像データベース１３４の例〕
図１２は、本発明の実施形態に係る商品画像データベース１３４の一例を示す説明図である。図１２に示すように、商品画像データベース１３４には、例えば、各商品を識別するための「商品ＩＤ」、各商品の名称を示す「商品名」、および各商品を画像で示すための「画像データ」が記憶される。ここで、図１２に示す各行が一の商品に対応する商品画像データに相当する。
【０１１１】
再度図８を参照して、情報処理装置１００の各構成要素について説明する。通信部１０４は、例えばネットワーク５００を介して、購買履歴記憶装置２００や表示装置３００、４００、…などと通信を行う。より具体的には、通信部１０４は、例えば、購買履歴記憶装置２００へ購買履歴データの取得要求を送信し、購買履歴記憶装置２００から送信される購買履歴データを受信する。また、通信部１０４は、例えば、各表示装置から送信される表示要求を受信し、表示要求に応じた表示データを送信元の表示装置へと送信する。
【０１１２】
購買履歴データ取得部１０６は、定期／不定期に購買履歴記憶装置２００に対する購買履歴データの取得要求を生成し、通信部１０４に購買履歴データの取得要求を送信させる。そして、購買履歴データ取得部１０６は、通信部１０４が受信した購買履歴データを通信部１０４から受け取る。
【０１１３】
所有物データ記録部１０８は、購買履歴データ取得部１０６が取得した購買履歴データに基づいて所有物データを生成し、生成した所有物データを記憶部１０２の所有物データベース１３２に記録する。つまり、所有物データ記録部１０８は、情報処理装置１００において、上述した「（２）所有物データの生成」の処理を行う役目を果たす。
【０１１４】
商品画像取得部１１０は、定期／不定期にネットワーク５００を介して外部装置へ接続し、商品のＪＡＮコードなどの商品識別情報や、当該商品の商品画像などを取得する。そして、商品画像取得部１１０は、取得した情報を商品画像データとして記憶部１０２に記憶された商品画像データベース１３４に記録する。ここで、商品画像取得部１１０が接続する外部装置としては、例えば、商品の販売元の会社のサーバや、ＪＡＮコードを一括管理している法人のサーバなどが挙げられるが、上記に限られない。
【０１１５】
また、商品画像取得部１１０は、定期／不定期に外部装置へ接続することに限られない。例えば、商品画像取得部１１０は、購買履歴データが示す商品に対応する商品画像が商品画像データベース１３４に記録されていない場合には、所有物データ記録部１０８が所有物データを生成するときに外部装置へ接続し、商品画像データを商品画像データベース１３４に記録することもできる。
【０１１６】
所有物データ更新部１１２は、所有物データベース１３２に記憶された各所有物データについて、当該所有物データの購入時間情報と現在の時間を規定する時間情報とに基づいて、第２の所有物画像を生成し、所有物データを更新する。つまり、所有物データ記録部１０８は、情報処理装置１００において、上述した「（３）所有物データの更新」の処理を行う役目を果たす。
【０１１７】
ここで、所有物データ更新部１１２は、例えば、所有物データの購入時間情報と現在の時間を規定する時間情報とに基づいて所有物を購入してからの経過時間を算出し、算出された経過時間と、経過時間と第２の所有物画像生成のためのパラメータ（例えば、図２（ａ）〜（ｇ）に示すような所有物画像の変化を規定するパラメータ）とが対応付けられたルックアップテーブル（Look  Up  Table）とを用いることによって、算出された経過時間に応じた第２の所有物画像を生成することができるが、上記に限られない。第２の所有物画像を生成するために用いるルックアップテーブルは、例えば、記憶部１０２に記憶され、所有物データ更新部１１２によって適宜読み出される。なお、上記時間経過を判定する閾値の情報は、例えば、所有物データ更新部１１２が備える記憶手段に保持されてもよい。所有物データ更新部１１２が備える記憶手段としては、例えば、ＥＥＰＲＯＭやフラッシュメモリなどの不揮発性メモリが挙げられる。
【０１１８】
また、所有物データ更新部１１２は、例えば図１１の所有物“商品Ｙ”に示すように、１の商品に対して複数の所有物データを所有物データベース１３２に記録する（レコードの追加）ことによって所有物データの更新を行うことができるが、上記に限られない。ここで、図１１の所有物“商品Ｙ”を示す画像データ“ｙ０１．ｊｐｇ”は第１の所有物画像に対応し、また、“ｙ０２．ｊｐｇ”は第２の所有物画像に対応する。
【０１１９】
表示データ生成部１１４は、表示対象判定部１１６と、データ生成部１１８とを備え、表示装置などから送信される表示要求に応じて表示データを生成し、生成した表示データを表示要求の送信元の装置へ送信させる。つまり、所有物データ記録部１０８は、情報処理装置１００において、上述した「（４）表示データの生成」の処理および「（５）表示データの送信／表示」の処理を行う役目を果たす。
【０１２０】
表示対象判定部１１６は、通信部１０４が受信した表示要求に基づいて、表示データを生成するユーザを判定する。ここで、表示対象判定部１１６は、例えば、表示要求が有する所有物の情報の表示を所望するユーザＩＤの情報によって、表示データを生成するユーザを判定することができる。
【０１２１】
また、表示対象判定部１１６は、表示要求に基づいて、当該表示要求の送信元の装置（例えば、表示装置）が属するグループを判定することもできる。ここで、表示対象判定部１１６は、例えば、ＭＡＣアドレスなどの表示要求が有する装置を識別する装置識別情報によって、表示要求の送信元の装置が属するグループを判定することができる。
【０１２２】
より具体的には、表示対象判定部１１６は、例えば、表示要求が有するＭＡＣアドレスの情報と、ＭＡＣアドレス（装置識別情報の一例）とグループとが対応付けられて記録されたグループデータベース（図示せず）とに基づいて、表示要求の送信元の装置が属するグループを判定する。また、表示対象判定部１１６は、表示要求が有するＭＡＣアドレスの情報がグループデータベース（図示せず）に登録されていない場合には、例えば、表示要求の送信元の装置が予め規定されたグループに属するものとして判定する。したがって、表示対象判定部１１６は、表示要求の送信元の装置が属するグループを一意に決定することができる。なお、本発明の実施形態に係るグループの判定方法が、上記に限られないことは、言うまでもない。
【０１２３】
データ生成部１１８は、表示対象判定部１１６が判定したユーザと、当該ユーザに対応するユーザ画像データと、当該ユーザに対応する所有物データとに基づいて、表示データを生成する。より具体的には、データ生成部１１８は、例えば、表示対象判定部１１６が判定したユーザに基づいて、図１０に示すユーザ画像データベース１３０を検索してユーザ画像（図１０の「画像データ」に対応）を抽出し、また、図１１に示す所有物データベース１３２を検索して所有物画像（図１１の「画像データ」に対応）を抽出することによって、表示データを生成することができる。
【０１２４】
ここで、データ生成部１１８は、所有物データベース１３２において一の所有物に対して複数の所有物画像が存在する場合には、例えば、表示データの生成時を基準として直近に生成された所有物画像を、表示データを構成する所有物の画像とすることができる。したがって、データ生成部１１８は、例えば上記「〔１〕第１の例」および図２に示すように、ユーザの所有物を画像で表現することができる。
【０１２５】
また、データ生成部１１８は、同種のカテゴリに属する所有物（例えば、ＪＡＮコードにより判別される。図１１では図示せず。）が所有物データベース１３２に存在する場合には、例えば、表示データの生成時（あるいは、履歴を表す場合には、それぞれの時点）を基準として購入時間が直近の商品に対応する所有物の所有物画像を、表示データを構成する所有物の画像とすることができる。したがって、データ生成部１１８は、例えば上記「〔４〕第４の例」および図５に示すように、ユーザの所有物を画像で表現することができる。
【０１２６】
さらに、データ生成部１１８は、所有物データベース１３２の「入手方法」に記録された情報に基づいて支払い方法の情報や入手方法の情報を取得することによって、例えば上記「〔２〕第２の例」および図３または上記「〔３〕第３の例」および図４に示すように、ユーザの所有物を画像で表現することができる。
【０１２７】
また、データ生成部１１８は、表示対象判定部１１６が判定したユーザ、当該ユーザに対応するユーザ画像データ、当該ユーザに対応する所有物データに加え、さらに、表示対象判定部１１６が判定したグループと、グループ情報とに基づいて、表示データを生成することもできる。
【０１２８】
より具体的には、データ生成部１１８は、例えば、さらに表示対象判定部１１６が判定したグループに基づいて、所有物データベース１３２から第１のグループ情報（例えば、図１１の「グループＡ表示可否」、「グループＢ表示可否」に対応）と、第２のグループ情報（例えば、図１１の「グループＡ表示方法」、「グループＢ表示方法」に対応）を取得する。そして、データ生成部１１８は、取得された第１のグループ情報（例えば、図１１に示す“表示”、“非表示”）に基づいて所有物の画像が選択的に表示される表示データを生成し、また、取得された第２のグループ情報（例えば、図１１に示す“概略レイヤ”、“詳細レイヤ”）に基づいて簡略化された画像あるいは詳細な画像が選択的に表示される表示データを生成する。したがって、データ生成部１１８は、例えば上記「〔５〕第５の例」および図６、図７に示すように、ユーザの所有物を画像で表現することができる。
【０１２９】
データ生成部１１８は、生成した表示データを通信部１０４に送信させる。ここで、通信部１０４は、例えば、表示要求が有するＭＡＣアドレスやＩＰアドレスなどの装置識別情報に基づいて、表示要求の送信元の装置へデータ生成部１１８が生成した表示データを送信することができるが、上記に限られない。
【０１３０】
表示データ生成部１１４は、表示対象判定部１１６とデータ生成部１１８とを備えることによって、上述した〔１〕〜〔５〕および図２〜図７に示すような画像が表示される表示データを生成し、表示要求の送信元の装置へ生成した表示データを送信させることができる。
【０１３１】
操作部１２０は、ユーザによる所定の操作を可能とする情報処理装置１００の操作手段である。情報処理装置１００が操作部１２０を備えることにより、ユーザは、例えば、ユーザ画像データベース１３０へのレコードの登録、更新、削除操作や、グループデータベース（図示せず）へのレコードの登録、更新、削除操作などを行い、ユーザが所望する動作を情報処理装置１００に対して行わせることができる。ここで、操作部１２０としては、例えば、キーボードやマウスなどの操作入力デバイス、ボタン、方向キー、ジョグダイヤルなどの回転型セレクター、あるいは、これらの組み合わせなどが挙げられるが、上記に限られない。なお、操作部１２０は、例えば、タッチスクリーン（touch  screen）のように表示部１２２と一体の部とすることもできる。
【０１３２】
表示部１２２は、情報処理装置１００が備える表示手段であり、例えば、表示データ生成部１１４が生成した表示データや、制御部（図示せず）が表示させる操作部１２０の操作のための操作画面などの各種画面を表示する。ここで、表示部１２２としては、例えば、ＬＣＤ、有機ＥＬディスプレイなどが挙げられるが、上記に限られない。
【０１３３】
情報処理装置１００は、例えば、記憶部１０２、通信部１０４、購買履歴データ取得部１０６、所有物データ記録部１０８、商品画像取得部１１０、所有物データ更新部１１２、表示データ生成部１１４、操作部１２０、および表示部１２２を備えることによって、上述した（１）ユーザの購買履歴データの取得、（２）所有物データの生成、（３）所有物データの更新、（４）表示データの生成、および（５）表示データの送信／表示、の処理を行うことができる。したがって、情報処理装置１００は、例えば外部装置としての表示装置から送信される表示要求に応じた表示データを生成し、生成した表示データを当該表示装置に表示させることができる。
【０１３４】
また、情報処理装置１００は、表示データの生成時を基準として表示データを構成する所有物の画像を選択するので、例えば数年前に購入した所有物と数日前に購入した所有物とを明確に区別した上で、ユーザの購買行動に基づく所有物の情報を画像で表すことができる。したがって、情報処理装置１００は、ユーザのプライバシーを保ちながらユーザの購買行動に基づく所有物の情報を不特定多数の者と共有させることができる。
【０１３５】
以上のように、本発明の実施形態に係る所有物情報提供システム１０００は、購買履歴記憶装置２００と、表示装置３００、４００、…と、情報処理装置１００とを有する。購買履歴記憶装置２００は、購買履歴データベース２１０を記憶し、情報処理装置１００からの購買履歴データの取得要求に基づいて購買履歴データを情報処理装置１００へ送信する。表示装置３００、４００、…それぞれは、情報処理装置１００に対して表示要求を送信し、表示要求に応じて情報処理装置１００から送信される表示データを受信して表示データが示す画像を表示する。
【０１３６】
また、情報処理装置１００は、（１）ユーザの購買履歴データの取得、（２）所有物データの生成、（３）所有物データの更新、（４）表示データの生成、および（５）表示データの送信／表示、の処理を行うことによって、各表示装置から送信される表示要求に応じた表示データを生成し、生成した表示データを当該表示装置に表示させることができる。
【０１３７】
ここで、情報処理装置１００は、表示データの生成時を基準として表示データを構成する所有物の画像を選択して表示データを生成する。よって、情報処理装置１００は、例えば数年前に購入した所有物と数日前に購入した所有物とを明確に区別した上で、ユーザの購買行動に基づく所有物の情報が画像で表された表示データを生成し、表示要求の送信元の装置に表示データが示す画像を表示させることができる。したがって、情報処理装置１００は、ユーザのプライバシーを保ちながらユーザの購買行動に基づく所有物の情報を不特定多数の者と共有させることができる。
【０１３８】
また、情報処理装置１００は、グループ情報を用いて表示データを構成する所有物の画像を選択的に表現することもできる。したがって、情報処理装置１００は、ユーザの所有物の情報を画像によって不特定多数の者に与えるだけでなく、ユーザの所有物の情報を選択的に与えることができるので、ユーザのプライバシーをより厚く保護した上で、ユーザの購買行動に基づく所有物の情報を不特定多数の者と共有させることができる。
【０１３９】
したがって、本発明の実施形態に係る所有物情報提供システム１０００では、ユーザのプライバシーを保ちながらユーザの購買行動に基づく所有物の情報を不特定多数の者と共有させることができる。
【０１４０】
[本発明の実施形態に係る所有物情報提供システム１０００の変形例]
上記では、本発明の実施形態に係る所有物情報提供システム１０００として、情報処理装置１００が購買履歴記憶装置２００から購買履歴データを取得する構成を示した。しかしながら、本発明の実施形態は、かかる構成に限られず、情報処理装置と購買履歴記憶装置とが一体の装置として機能する構成とすることもできる。
【０１４１】
上記の場合には、変形例に係る情報処理装置は、購買履歴データベースを記憶部に記憶し、記憶部に記憶された購買履歴データベースから購買履歴データを取得する。上記の構成であっても、変形例に係る情報処理装置は、上述した情報処理装置１００と同様に、（１）ユーザの購買履歴データの取得、（２）所有物データの生成、（３）所有物データの更新、（４）表示データの生成、および（５）表示データの送信／表示、の処理を行うことができる。したがって、変形例に係る情報処理装置は、上述した情報処理装置１００と同様の効果を奏することができる。
【０１４２】
［本発明の実施形態に係る所有物情報提供システムの適用例］
本発明の実施形態に係る所有物情報提供システムは、例えば、第三者（ここで、第三者とは、主に所有物の情報を提供するユーザ以外のものをいう。なお、第三者には所有物の情報を提供するユーザ本人が含まれていてもよい。）によるホームページやブログへのアクセス時における情報共有に適用することができるが、上記に限られない。例えば、本発明の実施形態に係る所有物情報提供システムは、「Ｈｏｍｅ」のようなオンライン・ユーザーコミュニティに用いられ、当該コミュニティ内における情報共有に適用することもできる。
【０１４３】
以上、本発明の実施形態に係る所有物情報提供システムを構成する構成要素として購買履歴記憶装置２００を挙げて説明したが、本発明の実施形態は、かかる形態に限られず、例えば、ＰＣ（Personal  Computer）やサーバなどのコンピュータなどに適用することができる。
【０１４４】
また、本発明の実施形態に係る所有物情報提供システムを構成する構成要素として表示装置３００、４００、…を挙げて説明したが、本発明の実施形態は、かかる形態に限られず、例えば、ＣＲＴ（Cathode  Ray  Tube  display）ディスプレイや有機ＥＬディスプレイ、ＬＣＤなど様々な表示装置、テレビジョン（Television）放送を受信する受信装置、携帯電話などの携帯型通信装置、ＰＣなどのコンピュータ、ＰｌａｙＳｔａｔｉｏｎ  Ｐｏｒｔａｂｌｅ（登録商標）などの携帯型ゲーム機などに適用することができる。
【０１４５】
また、本発明の実施形態に係る所有物情報提供システムを構成する構成要素として情報処理装置１００を例に挙げて説明したが、本発明の実施形態は、かかる形態に限られず、例えば、ＰＣやＵＭＰＣ（Ultra  Mobile  Personal  Computer）、サーバなどのコンピュータ、携帯電話などの携帯型通信装置、ＰｌａｙＳｔａｔｉｏｎ  Ｐｏｒｔａｂｌｅ（登録商標）などの携帯型ゲーム機、プレイステーション（登録商標）シリーズなどのゲーム機などに適用することができる。
【０１４６】
（本発明の実施形態に係るプログラム）
本発明の実施形態に係る情報処理装置１００をコンピュータとして機能させるためのプログラムによって、ユーザのプライバシーを保ちながらユーザの購買行動に基づく所有物の情報を不特定多数の者と共有させることができる。
【０１４７】
（表示データ提供方法）
次に、本発明の実施形態に係る情報提供方法について説明する。以下では、本発明の実施形態に係る情報提供方法を、（Ｉ）購買履歴データの取得、所有物データの記録処理、（ＩＩ）所有物データの更新処理、および（ＩＩＩ）表示データの生成、送信処理、の３つに分けて説明する。
【０１４８】
（Ｉ）購買履歴データの取得、所有物データの記録処理
図１３は、本発明の実施形態に係る情報提供方法の一例を示す第１の流れ図であり、購買履歴データの取得、所有物データの記録処理を示している。ここで、図１３は、情報処理装置１００における上述した（１）ユーザの購買履歴データの取得、および（２）所有物データの生成、の各処理に対応する。
【０１４９】
情報処理装置１００は、購買履歴データを購買履歴記憶装置２００から取得する（Ｓ１００）。ここで、情報処理装置１００は、ステップＳ１００の処理を定期、または不定期に行うことができる。
【０１５０】
情報処理装置１００は、ステップＳ１００において取得された購買履歴データに対応する商品画像があるか否かを判定する（Ｓ１０２）。ここで、情報処理装置１００は、例えば、購買履歴データが有するＪＡＮコードなどの商品識別情報に基づいて、記憶部１０２に記憶された商品画像データベース１３４を検索することによって、ステップＳ１０２の判定を行うことができる。
【０１５１】
ステップＳ１０２において取得された購買履歴データに対応する商品画像があると判定された場合には、情報処理装置１００は、所有物データを生成し、生成した所有物データを例えば記憶部１０２の所有物データベース１３２に記録する（Ｓ１０４）。
【０１５２】
また、ステップＳ１０２において取得された購買履歴データに対応する商品画像がないと判定された場合には、情報処理装置１００は、ネットワーク５００を介して外部装置へ接続し、ステップＳ１０２と同様に、取得された購買履歴データに対応する商品画像を検索する（Ｓ１０６）。そして、情報処理装置１００は、ステップＳ１００において取得された購買履歴データに対応する商品画像があるか否かを判定する（Ｓ１０８）。
【０１５３】
ステップＳ１０８において取得された購買履歴データに対応する商品画像があると判定された場合には、情報処理装置１００は、外部装置から商品画像を取得する（Ｓ１１０）。そして、情報処理装置１００は、所有物データを生成し、生成した所有物データを記憶部１０２の所有物データベース１３２に記録する（Ｓ１０４）。
【０１５４】
また、ステップＳ１０８において取得された購買履歴データに対応する商品画像がないと判定された場合には、情報処理装置１００は、例外処理を行う（Ｓ１１２）。ここで、ステップＳ１１２における例外処理としては、例えば、表示部１２２に取得された購買履歴データに対応する商品画像がない旨の警告を表示することが挙げられるが、上記に限られない。例えば、情報処理装置１００は、例外処理として、予め用意された例外画像を商品画像とすることによって所有物データを生成し、所有物データベース１３２に記録することもできる。
【０１５５】
情報処理装置１００は、図１３に示す方法を用いることによって、上述した（１）ユーザの購買履歴データの取得、および（２）所有物データの生成、の各処理を行うことができる。
【０１５６】
（ＩＩ）所有物データの更新処理
図１４は、本発明の実施形態に係る情報提供方法の一例を示す第２の流れ図であり、所有物データの更新処理を示している。ここで、図１４は、情報処理装置１００における上述した（３）所有物データの更新の処理に対応する。また、図１４は、一の所有物に対する処理を示しており、情報処理装置１００は所有物ごとに処理を行うことができる。
【０１５７】
情報処理装置１００は、所有物データの登録（記録）から所定の時間が経過したか否かを判定する（Ｓ２００）。情報処理装置１００は、例えば、所有物データの購入時間情報と現在の時間を規定する時間情報とに基づいて所有物を購入してからの経過時間を算出し、算出された経過時間と、経過時間と第２の所有物画像生成のためのパラメータとが対応付けられたルックアップテーブルとを用いることによって、所定の時間の経過を当該パラメータにより判定することができるが、上記に限られない。
【０１５８】
例えば、情報処理装置１００は、算出された経過時間を用いた閾値処理によって、所定の時間が経過したか否かを判定することもできる。閾値処理によりステップＳ２００の判定を行う場合において、一の所有物に対して既に第２の所有物画像が生成されているときには、情報処理装置１００は、例えば、当該第２の所有物画像が記録された時間と現在の時間を規定する時間情報とに基づいて所定の時間が経過したか否かを判定する。ここで、時間経過を判定する閾値の情報は、例えば、記憶部１０２に記憶され、所有物データ更新部１１２によって適宜読み出される。なお、上記時間経過を判定する閾値の情報は、例えば、所有物データ更新部１１２が備える記憶手段に保持されてもよい。所有物データ更新部１１２が備える記憶手段としては、例えば、ＥＥＰＲＯＭやフラッシュメモリなどの不揮発性メモリが挙げられるが、上記に限られない。
【０１５９】
ステップＳ２００において所有物データの登録から所定の時間が経過していないと判定された場合には、情報処理装置１００は、処理をすすめない。
【０１６０】
また、ステップＳ２００において所有物データの登録から所定の時間が経過したと判定された場合には、情報処理装置１００は、第２の所有物画像を生成して所有物データを更新する（Ｓ２０２）。
【０１６１】
情報処理装置１００は、図１４に示す方法を用いることによって、上述した（３）所有物データの更新の処理の処理を行うことができる。
【０１６２】
（ＩＩＩ）表示データの生成、送信処理
図１５は、本発明の実施形態に係る情報提供方法の一例を示す第３の流れ図であり、表示データの生成、送信処理を示している。ここで、図１５は、情報処理装置１００における上述した（４）表示データの生成、（５）表示データの送信／表示、の各処理に対応する。
【０１６３】
情報処理装置１００は、表示要求が検出されたか（通信部１０４が表示要求を受信したか）否かを判定する（Ｓ３００）。ステップＳ３００において表示要求が検出されたと判定されない場合には、情報処理装置１００は、処理を進めない。
【０１６４】
また、ステップＳ３００において表示要求が検出されたと判定された場合には、情報処理装置１００は、表示対象（表示データの生成対象）となるユーザを判定する（Ｓ３０２）。ここで、情報処理装置１００は、例えば、表示要求が有するユーザＩＤの情報によって、表示データを生成するユーザを判定することができるが、上記に限られない。
【０１６５】
ステップＳ３０２において表示対象のユーザが判定されると、情報処理装置１００は、判定されたユーザに基づいて、当該ユーザに対応する表示対象の所有物画像を判定する（Ｓ３０４）。ここで、情報処理装置１００は、例えば、ステップＳ３０２において判定されたユーザに基づいて、図１１に示す所有物データベース１３２を検索して所有物画像（図１１の「画像データ」に対応）を抽出することによって、判定されたユーザに対応する表示対象の所有物画像を特定することができる。
【０１６６】
情報処理装置１００は、ステップＳ３０２において判定されたユーザと、ステップＳ３０４において判定された所有物画像に基づいて、表示データを生成する（Ｓ３０６）。ここで、情報処理装置１００は、例えば、ステップＳ３０２において判定されたユーザに基づいて図１０に示すユーザ画像データベース１３０を検索することにより抽出されたユーザ画像（図１０の「画像データ」に対応）と、ステップＳ３０４において抽出された所有物画像を用いて、表示データを生成することができる。
【０１６７】
また、情報処理装置１００は、さらに支払い方法の情報や入手方法の情報、グループ情報などを用いることによって、例えば、図３、図４、図６、図７に示すような所有物画像を表す表示データを生成することもできる。
【０１６８】
ステップＳ３０６において表示データが生成されると、情報処理装置１００は、生成した表示データを表示要求の送信元の装置へ送信し、当該装置に表示データが示す画像を表示させる（Ｓ３０８）。ここで、情報処理装置１００は、例えば、表示要求に含まれるＭＡＣアドレスやＩＰアドレスなどの装置識別情報に基づいて表示要求の送信元の装置を特定することによって、表示データを表示要求の送信元の装置へ送信することができるが、上記に限られない。
【０１６９】
情報処理装置１００は、図１５に示す方法を用いることによって、上述した（４）表示データの生成、（５）表示データの送信／表示、の各処理を行うことができる。
【０１７０】
上述した図１３〜図１５に示す方法を用いることによって、情報処理装置１００は、（１）ユーザの購買履歴データの取得、（２）所有物データの生成、（３）所有物データの更新、（４）表示データの生成、および（５）表示データの送信／表示、の処理を行うことができる。したがって、図１３〜図１５に示すような表示データ提供方法を用いる情報処理装置１００は、ユーザのプライバシーを保ちながらユーザの購買行動に基づく所有物の情報を不特定多数の者と共有させることができる。
【０１７１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１７２】
例えば、図８に示す所有物情報提供システム１０００では、情報処理装置１００と表示装置３００、４００、…それぞれとがネットワーク５００を介して通信を行う構成を示したが、かかる形態に限られない。例えば、本発明の実施形態に係る情報処理装置と表示装置それぞれとは、赤外線通信や、ＩＥＥＥ８０２．１１などを用いて直接通信を行うこともできる。上記構成であっても、本発明の実施形態に係る情報処理装置は、表示装置から送信される表示要求に応じて表示データを生成し、表示装置に表示データが示す画像を表示させることが可能である。したがって、上記構成であっても、本発明の実施形態に係る情報処理装置は、ユーザのプライバシーを保ちながらユーザの購買行動に基づく所有物の情報を不特定多数の者と共有させることができる。
【図面の簡単な説明】
【０１７３】
【図１】本発明の実施形態に係る表示データの一例を示す説明図である。
【図２】本発明の実施形態に係る所有物の画像の表現例を示す第１の説明図である。
【図３】本発明の実施形態に係る所有物の画像の表現例を示す第２の説明図である。
【図４】本発明の実施形態に係る所有物の画像の表現例を示す第３の説明図である。
【図５】本発明の実施形態に係る所有物の画像の表現例を示す第４の説明図である。
【図６】本発明の実施形態に係る所有物の画像の表現例を示す第５の説明図である。
【図７】本発明の実施形態に係る所有物の画像の表現例を示す第６の説明図である。
【図８】本発明の実施形態に係る所有物情報提供システムを示すブロック図である。
【図９】本発明の実施形態に係る情報処理装置のハードウェア構成の一例を示す説明図である。
【図１０】本発明の実施形態に係るユーザ画像データベースの一例を示す説明図である。
【図１１】本発明の実施形態に係る所有物データベースの一例を示す説明図である。
【図１２】本発明の実施形態に係る商品画像データベースの一例を示す説明図である。
【図１３】本発明の実施形態に係る情報提供方法の一例を示す第１の流れ図である。
【図１４】本発明の実施形態に係る情報提供方法の一例を示す第２の流れ図である。
【図１５】本発明の実施形態に係る情報提供方法の一例を示す第３の流れ図である。
【符号の説明】
【０１７４】
１００    情報処理装置
１０２、２０２  記憶部
１０４、２０４  通信部
１０６    購買履歴データ取得部
１０８    所有物データ記録部
１１０    商品画像取得部
１１２    所有物データ更新部
１１４    表示データ生成部
１１６    表示対象判定部
１１８    データ生成部
１３０    ユーザ画像データベース
１３２    所有物データベース
１３４    商品画像データベース
２００    購買履歴記憶装置
２１０    購買履歴データベース
３００、４００  表示装置
【図１】
0004636089.tif 000002
【図２】
0004636089.tif 000003
【図３】
0004636089.tif 000004
【図４】
0004636089.tif 000005
【図５】
0004636089.tif 000006
【図６】
0004636089.tif 000007
【図７】
0004636089.tif 000008
【図８】
0004636089.tif 000009
【図９】
0004636089.tif 000010
【図１０】
0004636089.tif 000011
【図１１】
0004636089.tif 000012
【図１２】
0004636089.tif 000013
【図１３】
0004636089.tif 000014
【図１４】
0004636089.tif 000015
【図１５】
0004636089.tif 000016